(57)【要約】【課題】メガネフレームのツルを折畳み出来るように連結する為の蝶番であって、蝶片のコマにワッシャが外れないように取付け、両蝶片の組付け作業を容易に行なうことが出来るようにした蝶番の提供。【解決手段】互いに噛み合う一方の蝶片コマ６の軸穴８に２個のワッシャ１ａ，１ｂを取付けて構成し、一方のワッシャ１ａの筒部３ａはコマ６の軸穴８に嵌り、他方のワッシャ１ｂの筒部３ｂは上記ワッシャ１ａの筒部３ａに嵌ることが出来る寸法とし、筒部３の長さはコマ６の厚さに相当する寸法としている。【選択図】　　　　図２
2004138718.tif 000002
【特許請求の範囲】
【請求項１】
メガネフレームの蝶番及びツル継手に取付けられるワッシャにおいて、該ワッシャは２個１組で構成され、一方のワッシャの筒部はコマの軸穴に嵌り、他方のワッシャの筒部は上記ワッシャの筒部に嵌ることが出来る寸法とし、筒部の長さはコマの厚さに相当する寸法としたことを特徴とする継手及び蝶番のワッシャ。
【請求項２】
メガネフレームのツルを折畳み出来るように連結する為の蝶番において、互いに噛み合う一方の蝶片コマの軸穴にワッシャの筒部を嵌入し、該筒部に別のワッシャの筒部を嵌めて他方の蝶片コマと軸ネジを介して組み付けしたことを特徴とするメガネフレームのツル折畳み蝶番。
【請求項３】
メガネフレームのツルを折畳み出来るように連結する為の継手において、互いに噛み合う一方の継手蝶片コマの軸穴にワッシャの筒部を嵌入し、該筒部に別のワッシャの筒部を嵌めて他方の継手蝶片コマと軸ネジを介して組み付けしたことを特徴とするメガネフレームのツル折畳み継手。
【発明の詳細な説明】
【０００１】
【発明の属する技術分野】
本発明はメガネのフロント部両サイドに取付けてツルを折畳み出来るように連結する蝶番及び継手に関するものである。
【０００２】
【従来の技術】
メガネにはフロント部の両側にツルを備えていて折畳むことが出来る。すなわち、メガネを顔に掛ける場合に両ツルを開き、顔から外した場合には両ツルは折畳んで閉じられる。ところで、メガネのツルを連結している蝶番は非常に小さくなっていて、長いツルを支えるには大きな負担がかかる。従って、屈曲に伴う摺動面は摩耗し、ツルはガタ付きを生じて掛けているメガネが位置ズレするなど、安定性が損われる。
【０００３】
特に近年のメガネフレームは軽くてバネ性に優れた材質が好まれる為に、この要求を満たす材質としてチタン材が多用されている。そして、蝶番もチタン製とされる場合が多く、このチタン製蝶番ではその摺動面の摩耗が特に著しい。そしてチタン製蝶番では切削加工された摺動面が鋳物のように微細な凹凸面となっていて、すなわち滑らかな面でないことから、ツルの折畳み操作に際してキシミを発生し、滑らかな折畳み操作が出来ない。すなわち、滑らかな摺動が得られない為である。
【０００４】
そこで、従来ではこの小さな蝶番の摺動面にワッシャを介在することで滑らかな摺動をもたらし、磨耗を防止する対策が講じられている。図５は従来から用いられているメガネフレームの蝶番を示す外観図である。同図に示すように、該蝶番は蝶片（イ）、（ロ）が軸ネジ（ハ）により連結されて屈曲することが出来る構造と成っていて、一方の蝶片（ロ）はその接合面（ニ）がヨロイにロウ付けされ、他方の蝶片（イ）の接合面（ニ）がツルにロウ付けされる。従って、ツルは該蝶番を介して折畳むことが出来る。
【０００５】
図６はワッシャ（ホ）、（ホ）を両蝶片（イ）、（ロ）の摺動面に介在する場合、及び介在している断面を示している。そして該ワッシャ（ホ）は図７に示しているように、円盤部（ヘ）と筒部（ト）から構成され、中心には軸ネジが貫通する穴（チ）が設けられている。上記図６に示しているようにワッシャ（ホ）の筒部（ト）は蝶片（ロ）のコマ（リ）に設けている軸穴（ヌ）に嵌って取付けられ、摺動面には円盤部（ヘ）が介在することで該摺動面の磨耗が防止される。
【０００６】
従来の蝶番は両コマ（ル）、（ル）を有す蝶片（イ）の凹部にコマ（リ）を有す蝶片（ロ）の凸部が嵌って噛み合う為には、ワッシャ（ホ）は円盤部だけで構成される平ワッシャでは両蝶片（イ）、（ロ）を組み付けることが出来ない。すなわち、コマ（リ）の軸穴（ヌ）に筒部（ト）を嵌めて両ワッシャ（ホ）、（ホ）を取付けた状態で組付ける必要がある。
【０００７】
しかし、この小さなツバ付きワッシャ（ホ）、（ホ）を蝶片（ロ）の軸穴（ヌ）に嵌める作業は面倒であると共に、ワッシャ（ホ）、（ホ）を取付けたコマ（リ）を一方の蝶片（イ）の両コマ（ル）、（ル）間に嵌める作業も容易ではない。すなわち、ワッシャ（ホ）、（ホ）を軸穴（ヌ）に取付けた状態では両コマ（ル）、（ル）間のクリアランスは殆どなく、コマ（リ）を両コマ（ル）、（ル）間に嵌める際に該ワッシャ（ホ）、（ホ）がコマ（リ）から外れ落ちてしまう。
【０００８】
これは、コマ（リ）の軸穴（ヌ）に嵌合する筒部（ト）の長さが短い為であるが、両摺動面側からワッシャ（ホ）、（ホ）を夫々嵌める為に、上記ツバ部（ト）の長さは必然的に短くなる。コマ（リ）の厚さは１ｍｍ程度であって、筒部（ト）の長さは０．３ｍｍ〜０．４ｍｍと成っている。
【０００９】
【発明が解決しようとする課題】
このように、従来のメガネフレームのツル折畳み用蝶番には上記のごとき問題がある。本発明が解決しようとする課題はこの問題点であり、蝶片のコマにワッシャが外れないように取付け、両蝶片の組付けを容易に行なうことが出来るツル継手及び蝶番、並びにワッシャを提供する。
【００１０】
【課題を解決する為の手段】
本発明に係るメガネフレームの蝶番は両蝶片から成り、そして一方の蝶片コマの軸穴にワッシャを取付けたものであり、しかもワッシャは位置ズレしないように、勿論、外れないように取付けられる。本発明のワッシャは円盤部の中央に筒部を設けたもので、基本形態は従来と共通するが、ワッシャがコマの軸穴に嵌って外れないように筒部の長さを長くし、コマの厚さに相当する長さ寸法としている。
【００１１】
このように、筒部の長さを長くしたのでは、反対側摺動面からワッシャを取付けることが出来ないために、反対側ワッシャは上記ワッシャの筒部の穴に嵌って取付けられる。従って反対側ワッシャの筒部の長さもコマの厚さ寸法に相当し、両ワッシャの筒部は互いに噛み合うようにしてコマに取付けられ、簡単に外れることはない。以下、本発明に係る実施例を図面に基づいて詳細に説明する。
【００１２】
【実施例】
図１は本発明に係る蝶番に取付けられるワッシャ１を示す実施例であり、基本形態は前記図７に示す従来のワッシャと同じであって、円盤部２の中央部には筒部３が起立している。そして、該筒部３の高さＨは従来のワッシャに比較して大きく、蝶片のコマの厚さ寸法に成っている。すなわち、２倍以上の長さ寸法と成っている。
【００１３】
図２は上記ワッシャ１をコマに取付ける場合、及び取付けた蝶番を示している。同図に示すように、蝶番は両蝶片４ａ，４ｂから成り、一方の蝶片４ａは所定の間隔をおいてコマ５，５を有し、他方の蝶片４ｂはコマ６を有している。そして該コマ６の両摺動面７，７側からワッシャ１ａ，１ｂが取付けられ、ワッシャ１ａはコマ６の軸穴８に筒部３が嵌合して取付けられる。
【００１４】
そして、該ワッシャ１ａの穴に他のワッシャ１ｂの筒部３が嵌合して取付けられる。従って、ワッシャ１ａの筒部３の外径はコマ６の軸穴８に嵌合する寸法とし、ワッシャ１ｂの筒部外径はワッシャ１ａの筒部穴に嵌合する寸法と成っている。コマ６の厚さは１ｍｍ程度が一般的であるが、ワッシャ１ａ，１ｂの筒部３の長さを共に１ｍｍ程度にすることが出来る。そこで、両ワッシャ１ａ，１ｂの筒部３，３は互いに噛み合う状態でコマ６に取付けられ、簡単に外れ落ちることはない。　図３は両ワッシャ１ａ，１ｂが組み合わされた状態の拡大図を示している。
【００１５】
図４は本発明の他の実施例を示しているが、メガネフレームのツル端に形成したコマ９にワッシャ１ａ，１ｂを取付けた場合である。このコマ９は蝶番のコマと同じようにフトントフレーム側のヨロイに設けているコマと互いに噛み合って連結され、ツル１０は折畳みされる。
【００１６】
該コマ９には一方からワッシャ１ａが取付けられ、該ワッシャ１ａの穴に別のワッシャ１ｂが取付けられる。従って、筒部がコマ９の厚さ寸法とほぼ同一に成っている為に、ワッシャ１ａ，１ｂはコマ９から外れることはない。以上述べたように、本発明の蝶番及びツル継手には２個１組のワッシャをコマに取付けたものであり、次のような効果を得ることが出来る。
【００１７】
【発明の効果】
本発明に係るメガネフレームの継手及び蝶番は、一方のコマの軸穴に２個１組のワッシャを両側から嵌めて取付け、しかも筒部の長さはコマの厚さに相当して互いに噛み合っている為に、該ワッシャはコマから外れることはない。従って、継手及び蝶番の組立てはスムーズに行われ、メガネフレームの組立て作業の効率を図ることが出来る。そして、従来のように小さいワッシャを扱う場合と比較して、筒部が長いことでコマの軸穴に嵌め易くなる。ところでコマの摺動面には円盤部が配置され、ツルの折畳み操作に伴って継手や蝶番が屈曲しても該摺動面の摩耗は抑制され、チタン製蝶番ではキシミを発生することなくツルの折畳み操作がスムーズに行い得る。
【図面の簡単な説明】
【図１】蝶番に取付けられるワッシャの具体例。
【図２】本発明の蝶番。
【図３】両ワッシャが噛み合っている場合。
【図４】ツル端に設けているコマにワッシャが取付けられている場合。
【図５】従来の蝶番。
【図６】従来のワッシャ付き蝶番。
【図７】従来のワッシャ。
【符号の説明】
１　ワッシャ
２　円盤部
３　筒部
４　蝶片
５　コマ
６　コマ
７　摺動面
８　軸穴
９　コマ
１０　ツル
【図１】
2004138718.tif 000003
【図２】
2004138718.tif 000004
【図３】
2004138718.tif 000005
【図４】
2004138718.tif 000006
【図５】
2004138718.tif 000007
【図６】
2004138718.tif 000008
【図７】
2004138718.tif 000009